(57)【要約】【課題】多数枚積載された状態であっても給紙時における重送や空送りを防止することのできるシート状物を提供すること。【解決手段】封筒用紙Ｓは、該用紙Ｓの少なくとも一面に、給紙方向（搬送方向）の中心線Ｌを含む左右対称な領域であって、給紙方向先端側から所定長さ内方に亘って設定されたエンボス形成領域Ａに、厚み変化部分Ｓ１となる窓部Ｓａの透明性フィルムＳｃの厚さと同等以上の高さの凸部を有するエンボスＥを形成している。【選択図】図１
2018016323.tif 000002
【特許請求の範囲】
【請求項１】
シート面の中心線を境界として、何れか一方に少なくとも部分的に厚みの異なる厚み変化部を有するシート状物であって、
少なくとも前記中心線に沿って前記中心線を含む左右対称な領域にエンボスが形成されていることを特徴とするシート状物。
【請求項２】
ピックアップローラによって繰り出されたシート状物を一枚ずつ捌いて搬送方向へ搬送する捌きローラと、
前記捌きローラによって捌かれたシート状物の先端と当接して所定の撓み量だけ撓ませて斜行補正を行うレジストローラ対と、
を備える給紙手段によって搬送されるシート状物であって、
前記中心線に沿った方向における前記領域の長さは、少なくとも前記捌きローラと前記レジストローラ対との間の距離に前記撓み量を加味した長さであることを特徴とする請求項１記載のシート状物。
【請求項３】
前記中心線と直交する前記領域における幅方向の長さを、前記ピックアップローラ又は前記捌きローラのローラ幅と同等以上にすることを特徴とする請求項２記載のシート状物。
【発明の詳細な説明】
【技術分野】
【０００１】
本発明は、台上に複数積層された状態から一枚ずつ分離され、搬送方向に沿って搬送されるシート状物に関する。
【背景技術】
【０００２】
従来より、シート状物である封筒用紙及び内容物に対し、必要に応じて印刷装置で所望の印刷を行い、これらを印刷装置の後段に設けた封入封緘装置に送り、必要な折り加工を施して封筒の中に封入物を封入した状態で封緘処理して封書を作成する封書作製システムが知られている。
【０００３】
このシステムでは、封入封緘装置において、内容物とともに封緘部まで搬送された封筒用紙は、封緘部において、内容物を包み込むように折り畳んで重ねられた封筒用紙の側縁と側縁をローラなどで挟み込んで加圧して側縁に塗布された圧着糊部同士を接着する。さらに、側縁が接着された封筒用紙は、搬送しながら再湿糊に水を塗布して該糊を活性化させた状態でフラップ部を折り込むことで封筒が封緘され封筒（封書）が作成される。
【０００４】
なお、上記システムで使用される封筒用紙は、本願出願人が先に提案した下記特許文献１に開示されるもの同型のものが使用されている。
【先行技術文献】
【特許文献】
【０００５】
【特許文献１】特開２０１３−４９２１８号公報
【発明の概要】
【発明が解決しようとする課題】
【０００６】
上記システムで使用される封筒用紙として、納税通知などの公共機関から送達される各種通知書、クレジットカードなどの請求明細書、ダイレクトメールなどの種々の書類に使用される窓付き封筒用紙が求められている。
【０００７】
窓付き封筒用紙は、一般的な封筒用紙における正面となる領域に所定サイズの開口（切欠き）を設け、そこに透明性フィルムを貼着して窓部が形成されている。よって、この窓付き封筒用紙を用いて作製された封書は、内容物に形成された通知情報（例えば、受取人の宛先情報（郵便番号、氏名、住所又は居所）、差出人の差出人情報（郵便番号、氏名、住所又は居所など）、受取人や差出人を識別する識別情報（一次元コード（バーコード）や二次元コード（ＱＲコード（登録商標）やＳＰコード）、管理番号など）が窓部を介して開封せずに確認可能となっている。
【０００８】
ところが、窓付き封筒用紙は、窓部として紙面の所定箇所が切り抜かれた開口を覆うように透明性フィルムが貼着されており、この透明性フィルムによって紙面上における窓部周辺の厚さが他の領域の厚さよりも厚くなっている。
【０００９】
このため、窓付き封筒用紙を給紙台に多数枚を積層した場合、図７中のＡ矢視図やＢ矢視図に示すように、厚み変化部分となる窓部のある部分が盛り上がりながら徐々に傾いた状態で載置され、最上面の封筒用紙の紙面とピックアップローラのローラ面との間に間隙が生じてしまうため、給送時にピックアップローラとの接触不良により空送りや重ね送りが発生してしまうという問題があった。
【００１０】
また、厚み変化部分として窓部が形成された窓付き封筒用紙の場合、給紙台上に多数枚積層しようとしたときに、窓部によって傾いた状態で積層されてしまうため、積層した封筒用紙が崩れやすく、多数枚積載できないという問題があった。このため、封書を大量に作成するようなジョブを実行した場合、窓付き封筒用紙の用紙補充の頻度が多くなり煩雑であった。
【００１１】
そこで、本発明は上記問題点に鑑みてなされたものであり、複数積載された状態であっても安定して積層でき、さらに給紙時における重送や空送りを防止することのできるシート状物を提供することを目的とするものである。
【課題を解決するための手段】
【００１２】
上記した目的を達成するため、本発明に係る第１の態様は、シート面の中心線を境界として、何れか一方に少なくとも部分的に厚みの異なる厚み変化部を有するシート状物であって、
少なくとも前記中心線に沿って前記中心線を含む左右対称な領域にエンボスが形成されていることを特徴とする、シート状物である。
【００１３】
本発明に係る第２の態様は、第１の態様に係るシート状物において、ピックアップローラによって繰り出されたシート状物を一枚ずつ捌いて搬送方向へ搬送する捌きローラと、
前記捌きローラによって捌かれたシート状物の先端と当接して所定の撓み量だけ撓ませて斜行補正を行うレジストローラ対と、
を備える給紙手段によって搬送されるシート状物であって、
前記中心線に沿った方向における前記領域の長さは、少なくとも前記捌きローラと前記レジストローラ対との間の距離に前記撓み量を加味した長さであることを特徴とする、シート状物である。
【００１４】
本発明に係る第３の態様は、第２の態様に係るシート状物において、前記中心線と直交する前記領域における幅方向の長さを、前記ピックアップローラ又は前記捌きローラのローラ幅と同等以上にすることを特徴とする、シート状物である。
【発明の効果】
【００１５】
第１の態様に係るシート状物によれば、シート面に形成された厚み変化部分の厚みを、少なくとも中心線に沿って中心線を含む左右対称な領域に形成されるエンボスによって厚み差を相殺することで、台上に積層した際にシート状物の上面が略水平となるため、例えば一次給紙機構を構成するピックアップローラや捌きローラのローラ面との接触不良を起因とする空送りや重送を防止することができる。また、シート状物の上記領域にエンボスを形成することで積層時の傾きが抑制されるため、例えば給紙部の給紙台などに安定して多数枚積載することが可能となる。
【００１６】
第２の態様に係るシート状物によれば、中心線に沿った方向における領域の長さが少なくとも捌きローラとレジストローラ対との間の距離に撓み量を加味した長さとすることで、一次給紙機構から二次給紙機構まで空送りや重送なく最上位のシート状物のみを一枚ずつ確実に搬送することができるようになる。
【００１７】
第３の態様に係るシート状物によれば、エンボスが形成される領域の幅方向の長さをピックアップローラや捌きローラのローラ幅と同等以上にすることで、シート状物とピックアップローラや捌きローラとの接触面積が十分確保できるため、給送時において各ローラとの接触不良による空送りや重送が起きにくくなる。
【図面の簡単な説明】
【００１８】
【図１】（ａ）は本発明に係るシート状物である封筒用紙を表面から見たときの概略構成図であり、（ｂ）は同用紙を裏面から見たときの概略構成図である。
【図２】（ａ）、（ｂ）は封筒用紙に設定されたエンボス形成領域の設定例を示す図である。
【図３】同用紙に設定されるエンボス形成領域の領域幅の条件を説明するための図である。
【図４】同用紙に設定されるエンボス形成領域の給紙方向長さの条件を説明するための図である。
【図５】エンボス形状の一例を示す図である。
【図６】（ａ）は給紙台に積層載置された本実施形態に係る窓付き封筒用紙を側面視した図であり、（ｂ）は給紙台に積層載置された本実施形態に係る窓付き封筒用紙を給紙方向後端側から見た図である。
【図７】従来の封筒用紙が給紙台に載置された状態を示す図である。
【発明を実施するための形態】
【００１９】
以下、本発明を実施するための形態について、添付した図面を参照しながら詳細に説明する。また、この実施の形態によって本発明が限定されるものではなく、この形態に基づいて当業者等により考え得る実施可能な他の形態、実施例及び運用技術等は全て本発明の範疇に含まれるものとする。
【００２０】
本発明に係るシート状物は、例えば普通紙、コート紙、封筒用紙、葉書のようなシート状の媒体であり、その材質やサイズ（定型又は不定型）などは特に限定されない。以下の実施形態では、シート状物として、封書作製システムで使用される窓付き封筒用紙Ｓ（単に、「封筒用紙Ｓ」ともいう）を例に説明する。
【００２１】
本実施形態において、「給紙方向」とは、給紙時にシート状物が搬送される方向であり、以下に示す実施形態では、窓付き封筒用紙Ｓを平面視したときの長辺方向（上下方向、縦方向）と一致する。また、「用紙幅方向」とは、給紙方向と直交する方向であり、以下に示す実施形態では、窓付き封筒用紙Ｓを平面視したときの短辺方向（左右方向、横方向）が用紙幅方向と一致する。
【００２２】
さらに、シート状物のシート面において、同一面上の他の領域と厚さの異なる部分を「厚み変化部分Ｓ１」とする。窓付き封筒用紙Ｓの場合、窓部Ｓａの開口Ｓｂを覆うように透明性フィルムＳｃが貼着されており、封筒用紙Ｓのフィルム貼着面（裏面）において、窓部Ｓａが同一面上の他の領域よりもフィルムの厚み分だけ厚くなる。よって、窓付き封筒用紙Ｓにおいて、窓部Ｓａが形成される部分が厚み変化部分Ｓ１となる。
【００２３】
なお、厚み変化部分Ｓ１は、シート状物におけるシート面において厚みが増す部分とは限らず、例えばシート面に所定形状の開口Ｓｂが形成された場合は、開口部分の厚みが他の領域よりも厚みが少なくなる。このように、シート面において厚みに変化が生じた部分は全て厚み変化部分Ｓ１に含まれるものとする。また、厚み変化部分Ｓ１は、本実施形態のような窓付き封筒用紙Ｓの窓部Ｓａの他、シート面に刻印を施したときの凹凸部分、宛て名シールを貼着したときのシール貼着部分、メッセージカードなどに形成される所定の切欠きや開口部分のように様々な形態がある。
【００２４】
［封書作製システムの概要］
まず、本実施形態のシート状物である窓付き封筒用紙Ｓを用いて封書作製を行う封書作製システムの概略構成について説明する。
なお、以下に示す封書作製システムは、本願出願人が先に開発した既存のシステム構成を例にとって説明するが、システム構成はこれに限定されない。
【００２５】
本実施形態のシート状物である封筒用紙Ｓが使用される封書作製システムは、内容物となる用紙や封筒用紙Ｓに対して所定の印刷処理を施す印刷装置と、印刷装置で所定の印刷処理が施された内容物や封筒用紙Ｓに対し所定の折りを施した後に封筒用紙Ｓで内容物を包み込むように封入し封緘して封書を作製する封入封緘装置とで構成されている。
【００２６】
印刷装置は、封筒用紙Ｓや内容物となる用紙に所定の印刷処理を施して後段の封入封緘装置に送り出す装置である。
印刷装置は、内容物となる複数書類の枚葉状の用紙が収納される複数の給紙カセットを有する内部給紙手段と、封筒となる封筒用紙Ｓが多数枚積載される給紙台を有する外部給紙手段とで構成される給紙部と、給紙部から給紙された各種用紙に対してジョブ内容に応じた所定の印刷処理を施す印刷部とを備え、封書作製ジョブに従って所定タイミングで給紙された用紙や封筒用紙Ｓに対して所定の印刷処理を施した後、後段の封入封緘装置に搬出する。
【００２７】
封入封緘装置は、封筒用紙Ｓ及び内容物となる用紙に対して必要な折りを施し、封筒用紙Ｓで内容物を包み込むことにより封筒に内容物を封入した状態とし、これを封緘して封書を作製する装置である。
封入封緘装置は、印刷装置から搬出された用紙を搬送しながら必要に応じて所定の折りを施して内容物とするとともに、封筒となる封筒用紙Ｓを搬送しながら所定の折りを施すことで封筒を形成する。そして、搬送に伴って両者を合流させ、封筒用紙Ｓで内容物を包み込んで封緘前の封筒を形成し、さらにフラップＳｄと接着する再湿糊部Ｓｅに水を塗布して活性化させた状態で封緘処理を実施することで、フラップＳｄと再湿糊部Ｓｅ及び用紙側縁の圧着糊部Ｓｆのそれぞれが接着して封緘され、封書が作製される。
【００２８】
［窓付き封筒用紙の構成］
次に、窓付き封筒用紙Ｓの構成について説明する。
本実施形態の封筒用紙Ｓは、所定の折り位置で２回折りが施されることで封筒形状となる三つ折り用の用紙であるが、例えば二つ折り（折り回数は一回）など封筒形状となる折り回数はこれに限定されない。
【００２９】
図１（ａ）、（ｂ）に示すように、封筒用紙Ｓは、フラップＳｄ側が給紙方向の先端側となって印刷装置の給紙部における外部給紙台に載置される。
【００３０】
図１（ａ）に示すように、封筒用紙Ｓの表面には、フラップＳｄを形成する折り部近傍には再湿糊部Ｓｅ（通常は乾燥しており、給水させ湿らせると粘着性を帯びる糊が塗布されている部分）が用紙幅方向に沿って所定長さ塗布されている。なお、再湿糊部Ｓｅの塗布面積は、封筒用紙Ｓが封筒となったときに、フラップＳｄが接着され輸送時に剥がれない程度の接着力が確保されるように設定されている。
【００３１】
また、図１（ｂ）に示すように、封筒用紙Ｓの裏面側における両側縁には、封入封緘装置の封緘部で封緘処理される際に、ニップ搬送によって所定の加圧力を加えて圧着糊部Ｓｆ（感圧接着剤）が塗布されている。圧着糊部Ｓｆの塗布領域は、封筒用紙Ｓの折り方によってその塗布幅や塗布位置が設定されている。図１（ｂ）の例では、封筒用紙Ｓでは、２回の折りによって封筒形状を成すように、折り位置を除いた両側縁の略全域に亘って塗布されている。
【００３２】
さらに、図１（ａ）、（ｂ）に示すように、封筒用紙Ｓには、内容物の所定箇所に印刷やシール貼着などによって形成された通知情報（例えば、受取人の宛先情報（郵便番号、氏名、住所又は居所）、差出人の差出人情報（郵便番号、氏名、住所又は居所など）、受取人や差出人を識別する識別情報（一次元コード（バーコード）や二次元コード（ＱＲコード（登録商標）やＳＰコード）、管理番号など）を開封せずに確認可能な窓部Ｓａが形成されている。
【００３３】
この窓部Ｓａは、封筒用紙Ｓにおいて窓部Ｓａとなる開口Ｓｂが所定サイズで切り抜かれて形成され、封筒用紙Ｓの裏面側から開口Ｓｂを覆うように透明性フィルムＳｃが貼着されている。なお、窓部Ｓａは、封筒用紙Ｓが折り込まれて封筒形状となったときに、封筒の正面に位置するように形成されており、その縦横寸法や形成位置は作製される封書のサイズや用途に応じて適宜設定される。
【００３４】
本実施形態の窓付き封筒用紙Ｓは、この窓部Ｓａを覆うように貼着された透明性フィルムＳｃの厚みによって、封筒用紙Ｓの裏面側における他の紙面（シート面）との厚み差が生じるため、この窓部Ｓａが封筒用紙Ｓにおける厚み変化部分Ｓ１となる。
【００３５】
さらに、封筒用紙Ｓの一面又は両面には、給紙方向（搬送方向）における封筒用紙Ｓの中心線Ｌを含む左右対称な幅領域であって、給紙方向の先端側となるフラップＳｄから所定長さ内方に亘って設定された領域（以下、この領域を「エンボス形成領域Ａ」という）に、厚み変化部分Ｓ１と同等以上の高さの凸部を有するエンボスＥが形成されている。
【００３６】
［エンボス形成領域について］
次に、本発明のシート状物である窓付き封筒用紙Ｓに形成されるエンボス形成領域Ａについて説明する。
エンボス形成領域Ａは、上述したように封筒用紙Ｓの中心線Ｌを含む左右対称であって、フラップＳｄから所定長さ内方に亘って設定された領域となればよく、例えば図２（ａ）に示すように、封筒用紙Ｓの表面におけるフラップＳｄの先端側から窓部Ｓａの手前側に亘って中心線Ｌを含む用紙幅方向に左右対称となる領域や、図２（ｂ）に示すように、封筒用紙Ｓの表面において窓部Ｓａや圧着糊部Ｓｆを除いた全ての領域として設定される。
【００３７】
ところで、印刷装置などに搭載される一般的な給紙装置１０は、図３に示すように、給紙台１１上に載置された封筒用紙Ｓを１枚ずつ繰り出すピックアップローラ１２と、ピックアップローラ１２によって繰り出された封筒用紙Ｓが重なっていた場合に最上層の封筒用紙Ｓ以外が給紙方向に給紙されるのを防止する捌きローラ１３とを有する一次給紙機構を備え、二次給紙機構となるレジストローラ対１４で所定の撓み量だけ撓ませて斜行補正を行って後段の印刷部に所定タイミングで搬送している。そして、ピックアップローラ１２によって繰り出された封筒用紙Ｓは、図３に示すように捌きローラ１３でセンター位置が１箇所保持された状態で中心線Ｌに沿って搬送されるようになっている。
【００３８】
このように、給紙装置１０によって封筒用紙Ｓのセンター位置を１箇所保持した状態で搬送することで、封筒用紙Ｓはピックアップローラ１２や捌きローラ１３を支点として左右方向（用紙幅方向）に移動可能となり、レジストローラ対１４に突き当って所定量の撓みが形成された際に正しく斜行補正されるようになる。
【００３９】
従って、封筒用紙Ｓに設定されるエンボス形成領域Ａの幅方向の長さとしては、給紙時にピックアップローラ１２や捌きローラ１３との接触面積を考慮して、図３に示すようにピックアップローラ１２や捌きローラ１３のローラ面の幅と同等以上に設定するのが好ましい。
【００４０】
また、エンボス形成領域Ａの給紙方向の長さａ１は、空送りや重送が起きることなく封筒用紙Ｓが一次給紙機構から二次給紙機構まで搬送するため、図４に示すように、少なくとも捌きローラ１３とレジストローラ対１４との間の距離ａ２に、レジストローラ対１４で形成される撓み量ａ３（封筒用紙Ｓの紙質や形状、給紙条件に応じて適宜設定可）を加味した長さ以上に設定するのが好ましい。
【００４１】
このように、エンボス形成領域Ａにおける幅方向の長さや給紙方向の長さを上記条件で設定することで、給紙台１１に積載された封筒用紙Ｓを搬送する際に、最上位の封筒用紙Ｓのみを一枚ずつ搬送することができ、ピックアップローラ１２や捌きローラ１３との接触不良を起因とする空送りや重送を未然に防止する効果をさらに高めることができる。
【００４２】
なお、図２（ａ）、（ｂ）に示すように、エンボス形成領域Ａは、封緘処理の際に再湿糊や圧着糊による接着性能の低下を防ぐため、これら糊の塗布領域（再湿糊部Ｓｅ、圧着糊部Ｓｆ）にエンボスＥが形成されないように設定するのが好ましいが、エンボスＥが封緘処理時に差程影響を及ぼさない形状の場合は、この限りではない。
【００４３】
［エンボス形状について］
次に、エンボス形成領域Ａに形成されるエンボスＥの形状について説明する。
本発明のシート状物である窓付き封筒用紙Ｓに形成されるエンボスＥとしては、封筒用紙Ｓを給紙方向に搬送する際に、搬送対象となる封筒用紙Ｓの裏面と、搬送対象となる封筒用紙Ｓの直下にある封筒用紙Ｓの表面との間で摩擦が少ない形状とするのが好ましい。
【００４４】
このような条件を満足するエンボス形状としては、例えば図５に示すように、図中Ｘ方向（給紙方向と反対方向）からエンボスＥを見たときに給紙方向に沿って延在する凹凸形状を用紙幅方向に連続して形成した構成とする。また、図示しないが、一部で凹凸形状が重なり合ってしまうようなパターンの場合、封筒用紙Ｓを積層した際に、上下の封筒用紙Ｓ同士の当接面（表面、裏面）に形成されたエンボスＥの凹凸形状が極力重なり合わない位置（つまり、エンボスＥの凹部の位置と凸部の位置が上下の封筒用紙Ｓでずれた状態）に形成すればよい。
【００４５】
なお、エンボスＥを封筒用紙Ｓの表面に形成する場合は、エンボス形状が露出するため、例えば凸部（又は凹部）の形状を星型や花型のような意匠性を考慮しつつ上記条件を満たす形状で形成するのが好ましい。
【００４６】
そして、図２（ａ）に示すエンボス形成領域ＡにエンボスＥを形成した封筒用紙Ｓを、封書作製システムにおける印刷装置の給紙台１１に多数枚積載した場合、図６（ａ）、（ｂ）に示すように、封筒用紙Ｓの傾き方が従来とは異なり、封筒用紙Ｓのセンター位置の紙面がピックアップローラ１２や捌きローラ１３のローラ面と当接するようにセンター位置付近が略水平となっている。
【００４７】
これは、封筒用紙Ｓに形成された厚み変化部分Ｓ１である窓部Ｓａの透明性フィルムＳｃの厚みと略同等以上の高さの凸部を有するエンボスＥをエンボス形成領域Ａに形成したことで、窓部Ｓａの厚みによる紙面上の厚み差が相殺されたためである。
【００４８】
また、封筒用紙Ｓを給紙台に積載した場合、窓部Ｓａの透明性フィルムＳｃの厚みと略同等以上の高さの凸部を有するエンボスＥがエンボス形成領域Ａに形成されているため、積層時の傾きが抑制され略水平のまま多数枚積載可能となる。
【００４９】
以上説明したように、上述したシート状物である封筒用紙Ｓは、該用紙Ｓの少なくとも一面に、給紙方向（搬送方向）の中心線Ｌを含む左右対称な領域であって、給紙方向先端側から所定長さ内方に亘って設定されたエンボス形成領域Ａに、厚み変化部分Ｓ１となる窓部Ｓａの透明性フィルムＳｃの厚さと同等以上の高さの凸部を有するエンボスＥを形成している。
【００５０】
これにより、封筒用紙Ｓに形成された厚み変化部分Ｓ１の厚み差がエンボス形成領域Ａに形成されたエンボスＥによって相殺されることで給紙台１１に積層した際に封筒用紙Ｓの上面（特に、ピックアップ１１との当接面）が略水平となるため、ピックアップローラ１２のローラ面との接触不良を起因とする空送りや重送を防止することができる。
【００５１】
また、封筒用紙Ｓが一次給紙機構から二次給紙機構まで確実に搬送されるようにするため、エンボス形成領域Ａにおける給紙方向の長さａ１は、少なくとも捌きローラ１３とレジストローラ対１４との間の距離ａ２に、レジストローラ対１４で形成される撓み量ａ３を加味した長さ以上に設定することで、最上位の封筒用紙Ｓのみを一枚ずつ搬送することができ、ピックアップローラ１２や捌きローラ１３との接触不良を起因とする空送りや重送を未然に防止することができる。
【００５２】
さらに、封筒用紙Ｓを給紙台１１に積載した場合、窓部Ｓａの透明性フィルムＳｃの厚みと略同等以上の高さの凸部を有するエンボスＥがエンボス形成領域Ａに形成されているため、積層時の傾きが抑制され略水平のまま多数枚積載可能となる。よって、封書を大量に作成するようなジョブを実行した場合であっても、窓付き封筒用紙Ｓの補充頻度を少なくすることができる。
【００５３】
［その他の実施形態について］
なお、本発明は上述した実施形態に限定されるものではなく、例えば以下に示すように使用環境等に応じて適宜変更して実施することもできる。また、以下の変更例を本発明の要旨を逸脱しない範囲の中で任意に組み合わせて実施することもできる。
【００５４】
上述した形態では、シート状物である窓付き封筒用紙Ｓの少なくとも一面に設定したエンボス形成領域Ａに厚み変化部分Ｓ１である窓部Ｓａの厚み（透明性フィルムＳｃの厚み）以上の高さを有するエンボスＥを形成したが、シート状物の厚み変化部分Ｓ１によって多枚数積層したときにシート状物による傾きが抑制されればスムーズな給紙処理を実現するような構成となればよい。
【００５５】
従って、エンボスＥをエンボス形成領域Ａに形成した上で、さらに必要に応じて給紙装置１０の給紙台１１を所定方向に傾けたり、給紙台１１を用紙幅方向に複数の台を備えるように分割させ、それらを選択的に上昇／下降可能な駆動手段を設けることで、台上に積載された封筒用紙Ｓのセンター位置がピックアップローラ１２や捌きローラ１３のローラ面と確実に当接させるように、複数の給紙台１１の高さを適宜調整するようにしてもよい。
【符号の説明】
【００５６】
Ｓ…シート状物
Ｓ１…厚み変化部
Ｓａ…窓部
Ｓｂ…開口
Ｓｃ…透明性フィルム
Ｓｄ…フラップ
Ｓｅ…再湿糊部
Ｓｆ…圧着糊部
１０…給紙装置
１１…給紙台
１２…ピックアップローラ（一次給紙機構）
１３…捌きローラ（一次給紙機構）
１４…レジストローラ対（二次給紙機構）
【図１】
2018016323.tif 000003
【図２】
2018016323.tif 000004
【図３】
2018016323.tif 000005
【図４】
2018016323.tif 000006
【図５】
2018016323.tif 000007
【図６】
2018016323.tif 000008
【図７】
2018016323.tif 000009